(57)【要約】  【課題】溶接、研磨、はつり作業における作業空間と作業空間の間を仕切るために、特にこれら両作業空間を比較的大きく仕切る場合でも、簡単に安全に設置すること、等を実現可能な間仕切りユニットを提供する。  【解決手段】間仕切りユニット１は、気密のエア室３を内部に有するとともに、このエア室３に給気する為の給気口４及びエア室３から排気する為の排気口５，６を有し、膨張・収縮が可能な可撓性を有する支柱体２、支柱体２の下部に設けられ、支柱体２を膨張させた状態で立設状態に支持する支柱体支持手段７、支柱体２に後端側が固定され、支柱体２が立設した状態で両作業空間Ａ１，Ａ２の間を仕切るように展開可能な仕切りシート８を備えている。支柱体２は、膨張させた状態で作業対象物Ｗの湾曲内面Ｗａに沿って配置可能に湾曲状に形成され、仕切りシート８の後端側の湾曲端部８ａが支柱体２に沿って固定され、仕切りシート８の前端側のストレート端部８ｂが、支柱体２が立設した状態で仕切りシート８の後端側と前端側の境界部から垂下する。【選択図】  図１
2014088669.tif 000002
【特許請求の範囲】
【請求項１】
溶接、研磨、はつり作業における作業空間と作業空間の間を仕切る間仕切りユニットであって、
気密のエア室を内部に有するとともに、このエア室に給気する為の給気口及びエア室から排気する為の排気口を有し、膨張・収縮が可能な可撓性を有する支柱体と、
前記支柱体の下部に設けられ、前記支柱体を膨張させた状態で立設状態に支持する支柱体支持手段と、
前記支柱体に一端側が固定され、前記支柱体が立設した状態で前記作業空間と作業空間の間を仕切るように展開可能な仕切りシートと、
を備えたことを特徴とする間仕切りユニット。
【請求項２】
前記支柱体は、膨張させた状態で作業対象物の湾曲内面に沿って配置可能に湾曲状に形成され、
前記仕切りシートは、一端側が、前記支柱体に沿って固定される湾曲端部であり、他端側が、前記支柱体が立設した状態で仕切りシートの一端側と他端側の境界部から垂下するストレート端部であることを特徴とする請求項１に記載の間仕切りユニット。
【請求項３】
前記仕切りシートの湾曲端部が、前記支柱体に面ファスナーを介して着脱可能に固定されたことを特徴とする請求項２に記載の間仕切りユニット。
【請求項４】
前記支柱体支持手段は、前記支柱体を床面に固定する為の固定手段を有することを特徴とする請求項１〜３の何れか１項に記載の間仕切りユニット。
【請求項５】
前記エア室は、前記給気口及び排気口に連通する第１エア室と、この第１エア室の上側に仕切り壁を介して形成され且つこの仕切り壁に形成された連通路を介して第１エア室に接続された第２エア室とを有し、
前記第１エア室のエア圧が第１設定圧以上になった場合に、第１エア室から第２エア室に給気可能に開弁する調整弁を前記連通路に設けたことを特徴とする請求項１〜４の何れか１項に記載の間仕切りユニット。
【請求項６】
前記第２エア室のエア圧が第２設定圧以上になった場合に、第２エア室から外部へ排気可能に開弁する安全弁を設けたことを特徴とする請求項５に記載の間仕切りユニット。
【発明の詳細な説明】
【技術分野】
【０００１】
本発明は、溶接、研磨、はつり作業における作業空間と作業空間の間を仕切る間仕切りユニットに関する。
【背景技術】
【０００２】
従来、建築物の内部空間を仕切りシートにより仕切る種々の間仕切りユニットが実用化されている（例えば、特許文献１，２参照）。
【０００３】
特許文献１の間仕切りユニットにおいては、仕切りシートが、耐火シートで構成され、巻取軸にロール状に巻取られた状態で天井側に設置されている。火災が発生すると、巻取軸が回動されて、仕切りシートが下方へ伸長して展開される。尚、仕切りシートには、人が通り抜け可能にドアが形成されている。
【０００４】
特許文献２の間仕切りユニットは、１対の仕切りシートと、この１対の仕切りシートの間に配設された複数のエアチューブとを備え、１対の仕切りシートと収縮状態の複数のエアチューブが、巻取軸に巻取られた状態で床面側（或いは、天井側）に設置されている。１対の仕切りシートと複数のエアチューブが、ワイヤにより天井側に引上げられて（或いは、床面側に引下げられて）展開され、複数のエアチューブの内部に加圧エアを供給してエアチューブを膨張させ、強度・剛性が高く遮音性に優れた仕切り壁を形成する。
【０００５】
ところで、工場等において、作業対象物に対して溶接作業を行う作業空間と、その溶接作業の前工程又は後工程として研磨、はつり作業を行う作業空間が近くなる場合に、その研磨、はつり作業による切粉が溶接予定箇所に飛散付着して溶接不良を起こさないように、これら両作業空間の間を仕切る必要がある。そこで、従来、両作業空間の間を仕切るために、シートをテープや棒等を使用して適当な部位に取り付けて、両作業空間の間に広げて設置している。
【０００６】
尚、特許文献３には、建築物において、縦配管同士を溶接する際、その溶接による火花が、溶接作業を行なっている階のスラブに形成された管通し穴から下階へ落下しないように、耐火性スカートの上端部をスラブよりも少し上側において縦配管に巻付けて固定し、下端外周部をスラブ上の管通し穴の外側に配置させる技術が開示されている。
【先行技術文献】
【特許文献】
【０００７】
【特許文献１】特開２００８−６１７２２号公報
【特許文献２】特開平７−２１７０３２号公報
【特許文献３】特開平８−５７６５３号公報
【発明の概要】
【発明が解決しようとする課題】
【０００８】
従来、溶接、研磨、はつり作業における作業空間と作業空間の間を仕切る場合、シートをテープや棒等を使用して適当な部位に取り付けて、両作業空間の間に広げて設置するため、そして、特に両作業空間を比較的大きく仕切る場合には、シートの設置に必要な足場や取り付け部位等を確保するのが難しい場合があるため、シートを簡単に安全に設置することができないという問題がある。
【０００９】
また、溶接、研磨、はつり作業における作業空間と作業空間の間を仕切る箇所が複数ある場合、各箇所において上記のシートの煩雑な設置作業が必要になるため、トータルで考えると、シートの設置負荷が非常に大きくなり、しかも、各箇所で用いたシートが使い捨てになると、設置コストも非常に高価になる。
【００１０】
尚、特許文献１，２の間仕切りユニットは、巻取軸に巻かれた仕切りシートを、天井側（或いは、床面側）に据付けて設置するものであり、溶接、研磨、はつり作業における作業空間と作業空間の間を簡易的に確実に仕切るのものとして適さない。
【００１１】
本発明の目的は、溶接、研磨、はつり作業における作業空間と作業空間の間を仕切るために、特にこれら両作業空間を比較的大きく仕切る場合でも、簡単に安全に設置すること、等を実現可能な間仕切りユニットを提供することである。
【課題を解決するための手段】
【００１２】
請求項１の間仕切りユニットは、溶接、研磨、はつり作業における作業空間と作業空間の間を仕切る間仕切りユニットであって、気密のエア室を内部に有するとともに、このエア室に給気する為の給気口及びエア室から排気する為の排気口を有し、膨張・収縮が可能な可撓性を有する支柱体と、前記支柱体の下部に設けられ、前記支柱体を膨張させた状態で立設状態に支持する支柱体支持手段と、前記支柱体に一端側が固定され、前記支柱体が立設した状態で前記作業空間と作業空間の間を仕切るように展開可能な仕切りシートとを備えたことを特徴とする。
【００１３】
請求項２の間仕切りユニットは、請求項１の発明において、前記支柱体は、膨張させた状態で作業対象物の湾曲内面に沿って配置可能に湾曲状に形成され、前記仕切りシートは、一端側が、前記支柱体に沿って固定される湾曲端部であり、他端側が、前記支柱体が立設した状態で仕切りシートの一端側と他端側の境界部から垂下するストレート端部であることを特徴とする。
【００１４】
請求項３の間仕切りユニットは、請求項２の発明において、前記仕切りシートの湾曲端部が、前記支柱体に面ファスナーを介して着脱可能に固定されたことを特徴とする。
【００１５】
請求項４の間仕切りユニットは、請求項１〜３の何れか１項の発明において、前記支柱体支持手段は、前記支柱体を床面に固定する為の固定手段を有することを特徴とする。
【００１６】
請求項５の間仕切りユニットは、請求項１〜４の何れか１項の発明において、前記エア室は、前記給気口及び排気口に連通する第１エア室と、この第１エア室の上側に仕切り壁を介して形成され且つこの仕切り壁に形成された連通路を介して第１エア室に接続された第２エア室とを有し、前記第１エア室のエア圧が第１設定圧以上になった場合に、第１エア室から第２エア室に給気可能に開弁する調整弁を前記連通路に設けたことを特徴とする。
【００１７】
請求項６の間仕切りユニットは、請求項５の発明において、前記第２エア室のエア圧が第２設定圧以上になった場合に、第２エア室から外部へ排気可能に開弁する安全弁を設けたことを特徴とする。
【発明の効果】
【００１８】
請求項１の間仕切りユニットによれば、支柱体の給気口からエア室に給気して、支柱体を膨張させることができ、支柱体のエア室、排気口から排気して、支柱体を収縮させることができる。支柱体の下部に設けられた支柱体支持手段により、支柱体を膨張させた状態で立設状態に支持することができ、この状態で、支柱体に一端側が固定された仕切りシートを、作業空間と作業空間の間を仕切るように展開させることができる。従って、特にこれら両作業空間を比較的大きく仕切る場合でも、簡単に安全に設置することができ、つまり、両作業空間を簡易的に確実に仕切るのものとして適するものになる。支柱体を収縮させた状態では、支柱体、仕切りシートをコンパクトに折畳むことができ、この支柱体、仕切りシートの保管、移動にも便利になる。そして、溶接、研磨、はつり作業における作業空間と作業空間の間を仕切る箇所が複数ある場合、その複数箇所において繰り返し使用できるため、トータルで考えて、設置負荷、設置コストを著しく低減することができる。
【００１９】
請求項２の間仕切りユニットによれば、支柱体を膨張させた状態で、被切断部材の湾曲内面に沿って容易に配置し、仕切りシートを三角帆状に展開させて、被切断部材の湾曲内面側の作業空間と作業空間の間を確実に仕切ることができる。
【００２０】
請求項３の間仕切りユニットによれば、仕切りシートの湾曲端部が支柱体に着脱可能に固定されるため、仕切りシートが損傷した場合、その仕切りシートを新たな仕切りシートに容易に交換することができる。
【００２１】
請求項４の間仕切りユニットによれば、支柱体支持手段の固定手段により、支柱体を膨張させて立設状態に安定的に支持できるように床面に固定できる。
【００２２】
請求項５の間仕切りユニットによれば、支柱体の給気口から第１エア室に給気して、支柱体の第１エア室に対応する下側部分→第２エア室に対応する上側部分の順番で段階的に膨張させて、支柱体を所期形状にして（作業対象物の湾曲内面に沿って）簡単に確実に配置することができる。
【００２３】
請求項６の間仕切りユニットによれば、第２エア室（即ち、エア室）のエア圧が高くなり過ぎないように、第２エア室から外部へ排気して、支柱体を適当に膨張させた状態にすることができ、支柱体がエア室のエア圧により破裂するのを防止することができる。
【図面の簡単な説明】
【００２４】
【図１】本発明の実施例に係る間仕切りユニットの右側面図である。
【図２】間仕切りユニットの左側面図である。
【図３】間仕切りユニットの正面図である。
【図４】間仕切りユニットの支柱体の膨張途中の右側面図である。
【図５】図１のV −V 線断面図である。
【発明を実施するための形態】
【００２５】
以下、発明を実施するための形態について実施例に基づいて説明する。尚、適宜、図１〜図４に矢印で示す前方、左方を、前方、左方として説明する。
【実施例】
【００２６】
図１〜図５に示すように、間仕切りユニット１は、作業空間Ａ１と作業空間Ａ２の間を仕切るものであり、具体的には、大型の凹状の湾曲内面Ｗａを有する金属製の作業対象物Ｗに対して、湾曲内面Ｗａ側（前側）から溶接作業を行う作業空間Ａ１と、この作業空間Ａ１に近い（隣接する）作業空間Ａ２であって前側から溶接作業の前工程又は後工程として研磨、はつり作業を行う作業空間Ａ２の間を仕切る場合に使用される。
【００２７】
間仕切りユニット１は、気密のエア室３を内部に有するとともに、このエア室３に給気する為の給気口４及びエア室３から排気する為の排気口５，６を有し、膨張・収縮が可能な可撓性を有する支柱体２と、支柱体２の下部に設けられ、支柱体２を膨張させた状態で立設状態に支持する支柱体支持手段７と、支柱体２に後端側（一端側）が固定され、支柱体２が立設した状態で両作業空間Ａ１，Ａ２の間を仕切るように展開可能な仕切りシート８とを備えている。
【００２８】
支柱体２は、高強度の袋体を主体に構成され、膨張させた状態で作業対象物Ｗの湾曲内面Ｗａに沿って配置可能に湾曲状に形成され、その上端は人の背丈の２倍程度の高さに位置する。支柱体２は、その下端から約９／１０長さ部分を形成する第１支柱部２ａと、残り１／１０長さ部分を形成する第２支柱部２ｂと、第１，第２支柱部２ａ，２ｂの境界となる仕切り壁２ｃとを有する。支柱体２（第２支柱部２ｂ）の上端部は補強シート２ｄにより補強されている。第１支柱部２ａの下部に給気口４及び排気口５が夫々開閉可能に設けられ、第２支柱部２ｂに排気口６が開閉可能に設けられている。
【００２９】
エア室３は、第１支柱部２ａの内部に形成された第１エア室３ａと、第２支柱部２ｂの内部に形成された、即ち第１エア室３ａの上側に仕切り壁２ｃを介して形成された第２エア室３ｂとを有する。第１エア室３ａが給気口４及び排気口５に連通し、第２エア室３ｂが排気口６に連通し、第１，第２エア室３ａ，３ｂは、仕切り壁２ｃに形成された連通路３ｃを介して接続されている。
【００３０】
仕切り壁２ｃの連通路３ｃには、第１エア室３ａのエア圧が第１設定圧（例えば、０．４ｋｇｆ/cm2）以上になった場合に、第１エア室２ａから第２エア室２ｂに給気可能に開弁するリリーフ弁又は圧力調整弁からなる調整弁１０が設けられ、第２支柱部２ｂには、第２エア室３ｂのエア圧が第２設定圧（例えば、０．４ｋｇｆ/cm2）以上になった場合に、第２エア室３ｂから外部へ排気可能に開弁するリリーフ弁からなる安全弁１１が設けられている。
【００３１】
支柱体２を膨張させる場合には、図示略の加圧エア供給源から延びるエアチューブをソケットを介して給気口４に接続して、給気口４から第１エア室３ａに加圧エアを供給する。すると、先ず、第１支柱部２ａが膨張し、その後、第１エア室３ａのエア圧が第１設定圧以上になると、調整弁１０が開弁し、第１エア室３ａの加圧エアが連通路３ｃから第２エア室３ｂに供給されるため、第２支柱部２ｂが膨張する。
【００３２】
支柱体２が膨張した状態で、第１，第２エア室３ａ，３ｂのエア圧が不必要に上昇して、第２エア室２ｂのエア圧が第２設定圧以上になると、安全弁１１が開弁して、第１，第２エア室３ａ，３ｂのエア圧を低下させる。支柱体２を収縮させる場合には、第１エア室３ａのエアを排気口５から外部へ排気して第１支柱部２ａを収縮させ、第２エア室３ｂのエアを排気口６から外部へ排気して第２支柱部２ｂを収縮させる。
【００３３】
支柱体支持手段７は、間仕切りユニット１の設置用治具２０（以下、治具２０という）を用いて構成される。この治具２０は、縦フレーム２１、傾斜フレーム２２，２３、ベース台２４を有し、これら２１〜２４を互いに連結して側面視Ｋ字状に形成され、作業空間Ａ１，Ａ２の境界近傍において立設状態に設置される。
【００３４】
支柱体支持手段７は、治具２０のベース台２４を介して支柱体２を床面Ｆに固定する為の固定手段２５を有し、その固定手段２５は、支柱体２の下端部に設けられた支持板２６と、ベース台２４に設けられた載置台２７と、支持板２６と載置台２７を締結するボルト・ナット（図示略）を有する。支柱体２は、膨張した状態でその下部が少し前側へ傾斜するように支持板２６と載置台２７を介してベース台２４上に固定されるとともに、その上端部が治具２０の傾斜フレーム２１に押さえられサポートされて、作業対象物Ｗの湾曲内面Ｗａに沿って配置される。
【００３５】
尚、支柱体支持手段７において、治具２０は必須ではなく、固定手段２５は、単独に設けたベース台２４を介して、或いは、ベース台２４とは異なるベース台を介して、支柱体２を床面Ｆに固定してもよいし、こうしたベース台を介さずに支柱体２を床面Ｆに固定してもよい。そして、固定手段２５のみにより、支柱体２が膨張した状態で所期形状に保持可能に立設状態に支持されるようにしてもよい。
【００３６】
仕切りシート８は、後端側（一端側）が、支柱体２に沿って固定される湾曲端部８ａであり、前端側（他端側）が、支柱体２が立設した状態で仕切りシート８の後端側と前端側の境界部（仕切りシート８の上端部）から垂下するストレート端部８ｂであり、湾曲端部８ａ及びストレート端部８ｂの下端同士を繋ぐように延びる下端側が、支柱体２が立設した状態で床面Ｆに接近する下端水平部８ｃである。
【００３７】
仕切りシート８の湾曲端部８ａは、その上端側部分及び下端側部分を除く大部分が、支柱体２の後端部分に支柱体２の全長に亙って面ファスナー３０を介して着脱可能に取付けられている。仕切りシート８において、湾曲端部８ａから略一定距離以内にある部分（例えば、仕切りシート８の約２／３の面積を占める部分）は、その右面側（溶接作業を行う作業空間Ａ１側）から引張強度が高い合成繊維シートである耐火性シート８ｄ（図１に鎖線で図示）により補強され、また、支柱体２と接触する部分には、耐火用フェルト８ｅ等が縫付けられている。
【００３８】
仕切りシート８には、その上端部に紐通しリング３１が固着され、この紐通しリング３１を含む複数（４個）の紐通しリング３１が、ストレート端部８ｂに沿って上下方向に適当間隔おきに固着されている。また、仕切りシート８には、複数（３個）の錘３２が、下端水平部８ｃに沿って前後方向に適当間隔おきに固定されている。
【００３９】
支柱体２が膨張した状態で、複数の糸通しリング３１のうち、最上の紐通しリング３１に通された紐３３が、被切断部材Ｗ又は被切断部材Ｗに固定された固定物に結ばれるとともに、残りの複数の紐通しリング３１に夫々通された複数の紐３３が治具２０の縦フレーム２１に結ばれて、仕切りシート８が三角帆状に展開された状態に保持される。
【００４０】
以上説明した間仕切りユニット１の作用・効果について説明する。
間仕切りユニット１は、気密のエア室３を内部に有するとともに、このエア室３に給気する為の給気口４及びエア室３から排気する為の排気口５，６を有し、膨張・収縮が可能な可撓性を有する支柱体２と、支柱体２の下部に設けられ、支柱体２を膨張させた状態で立設状態に支持する支柱体支持手段７と、支柱体２に前端側が固定され、支柱体２が立設した状態で作業空間Ａ１と作業空間Ａ２の間を仕切るように展開可能な仕切りシート８とを備えた。
【００４１】
そして、支柱体２は、膨張させた状態で作業対象物Ｗの湾曲内面Ｗａに沿って配置可能に湾曲状に形成され、仕切りシート８の後端側が、支柱体２に沿って固定される湾曲端部８ａに形成され、仕切りシート８の前端側が、支柱体２が立設した状態で仕切りシート８の上端部から垂下するストレート端部８ｂに形成され、仕切りシート８の下端側が、支柱体２が立設した状態で床面Ｆに接近する下端水平部８ｃに形成されている。
【００４２】
従って、支柱体２の給気口４からエア室３に給気して、支柱体２を膨張させることができ、支柱体２のエア室３、排気口５，６から排気して、支柱体２を収縮させることができる。支柱体２の下部に設けられた支柱体支持手段７により、支柱体２を膨張させた状態で立設状態に支持することができ、この状態で、被切断部材Ｗの湾曲内面Ｗａに沿って容易に配置し、その支柱体２に後端側の湾曲端部８ａが固定された仕切りシート８を、作業空間Ａ１と作業空間Ａ２の間を確実に仕切るように三角帆状に展開させることができる。
【００４３】
特にこれら両作業空間Ａ１，Ａ２を比較的大きく仕切る場合でも、簡単に安全に設置することができ、つまり、両作業空間Ａ１，Ａ２を簡易的に確実に仕切るのものとして適するものになる。支柱体２を収縮させた状態では、支柱体２、仕切りシート８をコンパクトに折畳むことができ、この支柱体２、仕切りシート８の保管、移動にも便利になる。そして、溶接、研磨、はつり作業における作業空間と作業空間の間を仕切る箇所が複数ある場合、その複数箇所において繰り返し使用できるため、トータルで考えて、設置負荷、設置コストを著しく低減することができる。
【００４４】
仕切りシート８の湾曲端部８ａが、支柱体２に面ファスナー３０を介して着脱可能に固定されたので、仕切りシート８が損傷した場合、その仕切りシート８を新たな仕切りシート８に容易に交換することができ、また、支柱体２を収縮させて、仕切りシート８を支柱体２から分離させた状態で、支柱体２、仕切りシート８を折畳むことができる。
【００４５】
支柱体支持手段７は、支柱体２を床面Ｆに固定する為の固定手段２５を有するので、この固定手段２５により、支柱体２を膨張させて立設状態に安定的に支持できるように床面Ｆに固定できる。
【００４６】
エア室３は、給気口４及び排気口５に連通する第１エア室３ａと、この第１エア室３ａの上側に仕切り壁２ｃを介して形成され且つこの仕切り壁２ｃに形成された連通路３ｃを介して第１エア室３ａに接続された第２エア室３ｂとを有し、第１エア室３ａのエア圧が第１設定圧以上になった場合に、第１エア室３ａから第２エア室３ｂに給気可能に開弁する調整弁１０を３ｃ連通路に設けた。
【００４７】
従って、支柱体２の給気口４から第１エア室３ａに給気して、支柱体２の第１エア室３ａに対応する第１支柱部２ａ→第２エア室３ｂに対応する第２支柱部２ｂの順番で段階的に膨張させることができる。つまり、支柱体２の大部分を構成する第１支柱部２ａを膨張させ作業対象物Ｗの湾曲内面Ｗａに当接させた状態で、垂れた首が持ち上がるように、第２支柱部２ｂを膨張させ作業対象物Ｗの湾曲内面Ｗａに当接させ、第２支柱部２ｂの上端部を治具２０の傾斜フレーム２１でサポートさせることができるので、支柱体を所期形状に簡単に確実に配置し且つ保持することができる。
【００４８】
第２エア室３ｂのエア圧が第２設定圧以上になった場合に、第２エア室３ｂから外部へ排気可能に開弁する安全弁１１を設けた。従って、第２エア室３ｂ（即ち、エア室３）のエア圧が高くなり過ぎないように、第２エア室３ｂから外部へ排気して、支柱体２を適当に膨張させた状態にすることができ、支柱体２がエア室３のエア圧により破裂するのを防止することができる。
【００４９】
その他、本発明の趣旨を逸脱しない範囲において、前記開示事項以外の種々の変更を付加して実施可能である。例えば、支柱体２、仕切りシート８のサイズ・形状等については、適宜変更可能である。
【符号の説明】
【００５０】
Ａ１，Ａ２  作業空間
Ｆ  床面
Ｗ  作業対象物
Ｗａ  湾曲内面
１  間仕切りユニット
２  支柱体
２ｃ  仕切り壁
３  エア室
３ａ  第１エア室
３ｂ  第２エア室
３ｃ  連通路
４  給気口
５，６  排気口
７  支柱体支持手段
８  仕切りシート
８ａ  湾曲端部
８ｂ  ストレート端部
１０  調整弁
１１  安全弁
２５  固定手段
３０  面ファスナー
【図１】
2014088669.tif 000003
【図２】
2014088669.tif 000004
【図３】
2014088669.tif 000005
【図４】
2014088669.tif 000006
【図５】
2014088669.tif 000007